(57)【特許請求の範囲】
【請求項１】
時計本体と、
前記時計本体に対して開閉する蓋体と、
前記時計本体の外形の内側に位置する第１の軸を中心に当該時計本体に回動自在に連結され、かつ、前記第１の軸と離隔した第２の軸を中心に回動自在に前記蓋体に連結されたヒンジ部材とを備え、
前記ヒンジ部材に形成された凸状の係合部と、前記蓋体に形成され、当該蓋体と前記ヒンジ部材との相対的な回動位置に応じて前記凸状の係合部に係合する凹状の係合部とを有す係合手段により、前記蓋体の閉動作にしたがって前記ヒンジ部材と前記蓋体とを係合させて当該ヒンジ部材と前記蓋体とを前記第１の軸を中心に回動させてなる
時計。
【発明の詳細な説明】
【０００１】
【発明の属する技術分野】
本発明は、時計に係わり、より特定的には、時計本体に対して開閉する蓋体を備えた時計に関する。
【０００２】
【従来の技術】
腕時計や懐中時計に代表される携帯用の時計は、たとえば、時刻や日時を知らせる携行品として日常生活や旅行時に利用される。携帯用の時計としては、たとえば、時計本体を携行容易にし、時計の損傷を防ぐ等の理由から、時計の文字盤側を開閉する蓋体を備えたものが知られている。
図１１は、蓋体を備えた携帯用の時計の一例を示す図である
図１１（ａ）に示すように、時計１０１は、時計本体１０２と、蓋体１０３と、時計本体１０２と蓋体１０３とを回動自在に連結するヒンジ接続部１０４とを備えている。時計本体１０２の外周部には、ヒンジ接続部１０４を構成する本体側接続部１０５が突設されている。
また、蓋体１０３の外周部には、本体側接続部１０５とピン接続される蓋体側接続部１０６が設けられている。
時計１０１における蓋体１０３は、図１１（ａ）に示すように、時計本体１０２に対して開いた状態から、図１１（ｂ）に示すように、閉じる。
また、蓋体１０３は、図１１（ｃ）に示すように、時計本体１０２の文字盤とは反対側に回動し、時計本体１０２を支持するスタンドとしての機能も有する。
【０００３】
【発明が解決しようとする課題】
上記のような蓋体１０３を備えた携帯用の時計１０１では、時計本体１０２に対して蓋体１０３を閉じた状態での時計の外観デザイン上の観点や、時計の薄型化、コンパクト化等の観点から、ヒンジ接続部１０４を時計本体１０２の外形の内側に収めたいという要請がある。
しかしながら、ヒンジ接続部１０４を時計本体１０２の外形の内側に収めようとすると、蓋体１０３と時計本体１０２との干渉によって、蓋体１０３の回動角を大きくとることができず、たとえば、図１１（ｃ）に示したように、蓋体１０３を時計本体１０２の文字盤の反対側に回動させることができない。
このため、蓋体１０３を時計本体１０２を支持するスタンドとして機能させることができない。
【０００４】
本発明は、上述の従来の問題に鑑みてなされたものであって、時計本体のケースに対して開閉する蓋体を備えた時計において、蓋体を回動支持する接続部を時計本体の外形内に収容でき、時計の外観デザインを向上させるとともに、時計の薄型化、コンパクト化が可能な時計を提供することを目的とする。
【０００５】
【課題を解決するための手段】
本発明の時計は、時計本体と、前記時計本体に対して開閉する蓋体と、前記時計本体の外形の内側に位置する第１の軸を中心に当該時計本体に回動自在に連結され、かつ、前記第１の軸と離隔した第２の軸を中心に回動自在に前記蓋体に連結されたヒンジ部材とを備え、前記ヒンジ部材に形成された凸状の係合部と、前記蓋体に形成され、当該蓋体と前記ヒンジ部材との相対的な回動位置に応じて前記凸状の係合部に係合する凹状の係合部とを有す係合手段により、前記蓋体の閉動作にしたがって前記ヒンジ部材と前記蓋体とを係合させて当該ヒンジ部材と前記蓋体とを前記第１の軸を中心に回動させてなる。
【０００８】
本発明では、ヒンジ部材が回動する第１の軸が時計本体の外形の内側に位置し、蓋体がヒンジ部材に対して第２の軸を中心に回動自在であるため、ヒンジ部材を時計本体の外形の内側に位置させるとともに、蓋体の時計本体に対する回動角度を大きくとることができる。
【０００９】
【発明の実施の形態】
以下に、本発明の実施の形態について図面を参照して説明する。
図１は、本発明に係る時計の一実施形態を示す平面図であって、蓋体を時計本体に対して閉じた状態を示す図であり、図２は図１のＡ−Ａ線方向の断面図である。
図１および図２に示すように、本実施形態に係る時計１は、時計本体ケース２と、時計本体ケース２に対して開閉する蓋体１１と、ヒンジ部材２１とを具備している。
時計本体ケース２は、図２に示すように、前側ケース３と、後側ケース４とから構成されている。
時計本体ケース２内において、時分針３２を駆動する時計ムーブメント３３が前側ケース３に固定されており、時分針３２の前方には、透明のカバー３１が前側ケース３に保持固定されている。
また、時分針３２の後方には、たとえば、時刻が表示された文字盤３４が設けられている。
【００１０】
図３は、蓋体１１の構造を示す図であって、（ａ）は蓋体１１を裏面側から見た平面図であり、（ｂ）は図３のＢ−Ｂ線方向の断面図である。
図３に示すように、蓋体１１は外周部に当接面１１ａを有し、図面下端部の両側の対向する位置に支持ピン１３が設けられている。蓋体１１は、支持ピン１３の中心を結ぶ直線である軸Ｓ２を中心に回動自在にヒンジ部材２１に連結される。
また、図面下端部の上記支持ピン１３間には、係合溝部１２が形成されている。
【００１１】
図４はヒンジ部材２１の構造を示す図であって、（ａ）は平面図であり、（ｂ）は側面図である。
図４に示すように、ヒンジ部材２１は、長手方向に沿って形成された係合突部２４を有し、この係合突部２４は、蓋体１１に形成された係合溝部１２に係合する。
ヒンジ部材２１の両端部には、支持ピン２３が設けられている。ヒンジ部材２１は、２つの支持ピン２３の中心を結ぶ直線である軸Ｓ１を中心に回動自在に時計本体ケース２に連結される。
また、ヒンジ部材２１の両端部には、上記の蓋体１１の支持ピン１３が嵌入される支持穴２２が形成されており、蓋体１１の支持ピン１３を支持穴２２に嵌入することにより、ヒンジ部材２１と蓋体１１とは軸Ｓ２を中心に回動自在に連結される。
【００１２】
図５は、時計本体ケース２を構成する前側ケース３の構造を示す平面図であって、前側ケース３を表側から見た図である。
図５に示すように、前側ケース３には、蓋体１１の当接面１１ａと当接する当接面３ｂと、蓋体１１の外周面形状と合致した形状に形成された嵌合面３ａとを有しており、これら当接面３ｂおよび嵌合面３ａによって蓋体１１を閉じた際に蓋体１１が嵌合する嵌合部を構成している。
また、前側ケース３の図面下端側には、回動するヒンジ部材２１と前側ケース３との干渉を防ぐ逃げ部３ｈが形成されている。
【００１３】
図６は、時計本体ケース２を構成する後側ケース４の構造を示す平面図であって、後側ケース４を裏側から見た図である。
図６に示すように、後側ケース４の下端の両側には、支持凹部４ａがそれぞれ形成されている。支持凹部４ａは前側ケース３の端面と対向する位置に形成されている。支持凹部４ａにヒンジ部材２１の支持ピン２３を装着した状態で後側ケース４に前側ケース３を嵌め合わせると、支持凹部４ａは前側ケース３の端面で閉鎖され、ヒンジ部材２１は時計本体ケース２に対して軸Ｓ１を中心に回動自在に連結される。
また、後側ケース４の下端側には、回動するヒンジ部材２１と後側ケース４との干渉を防ぐ逃げ部４ｈが形成されているとともに、蓋体１１を開いた際に蓋体１１の表面を受ける蓋体１１の表面形状に合致した形状に形成された受け面４ｋを有する。
【００１４】
次に、上記構成の時計１の蓋体１１の開閉動作の一例について図７〜図１０を参照して説明する。
たとえば、図７に示すように、蓋体１１が時計本体ケース２に対して十分に開いた状態から、蓋体１１を矢印Ｈ１の向きに閉じると、蓋体１１は軸Ｓ２を中心に回動し、ヒンジ部材２１は蓋体１１から作用する回動力によって軸Ｓ１を中心に矢印Ｈ２の向きに回動し、蓋体１１とヒンジ部材２１とは独立に動く。
【００１５】
図７に示す状態から蓋体１１の軸Ｓ２を中心とした回動が進むと、図８に示すように、蓋体１１の係合溝部１２がヒンジ部材２１の係合突部２４に係合する。
蓋体１１の係合溝部１２がヒンジ部材２１の係合突部２４に係合すると、蓋体１１はヒンジ部材２１とともに回動する。
【００１６】
蓋体１１の係合溝部１２とヒンジ部材２１の係合突部２４とが係合した状態では、蓋体１１は軸Ｓ１を中心に回動するため、図９に示すように、時計本体ケース２に対して大きく移動する。
蓋体１１の当接面１１ａが時計本体ケース２の前側ケース３の当接面３ａに当接して、蓋体１１が前側ケース３の嵌合部に嵌合すると、蓋体１１の時計本体ケース２に対する閉動作が完了し、時計１は図１および図２に示した状態となる。
【００１７】
図１および図２に示した状態では、ヒンジ部材２１は、前側ケース３の逃げ部３ｈおよび後側ケース４の逃げ部４ｈ内に収容された状態であり、時計本体ケース２の外形からヒンジ部材２１が突出しなくなる。
【００１８】
図１および図２に示した状態から蓋体１１を開くと、蓋体１１の係合溝部１２とヒンジ部材２１の係合突部２４とは係合しないため、蓋体１１は軸Ｓ２を中心に回動する。
蓋体１１が時計本体ケース２に対して開く方向にある程度回動すると、ヒンジ部材２１も蓋体１１から受ける力によって回動する。
さらに、蓋体１１を時計本体ケース２に対して回動させると、蓋体１１は後側ケース４の側に移動し、後側ケース４に形成された受け面４ｋに蓋体１１の表面が当接する。
図１０に示すように、蓋体１１の表面を後側ケース４に形成された受け面４ｋに当接させた状態で、蓋体１１の当接面１１ａおよびヒンジ部材２１ａを平面Ｈ上に置くと、蓋体１１は時計本体を支持するスタンドとして機能する。時計本体は、文字盤３４が見えやすい位置に支持される。
【００１９】
以上のように、本実施形態によれば、ヒンジ部材２１を時計本体ケース２に対して回動自在に連結し、このヒンジ部材２１に蓋体１１を回動自在に連結したことで、蓋体１１の回動角を大きくとれる。
また、ヒンジ部材２１に係合突部２４を設け、蓋体１１に係合溝部１２を設けることにより、蓋体１１を時計本体ケース２に対して閉じる際に蓋体１１とヒンジ部材２１とを連動させ、時計本体ケース２に形成された嵌合部に蓋体１１を確実に嵌合させることができる。
さらに、ヒンジ部材２１に係合突部２４を設け、蓋体１１に係合溝部１２を設けることにより、蓋体１１を時計本体ケース２に対して閉じた状態では係合突部２４と係合溝部１２とが係合しているため、時計本体ケース２と蓋体１１との間にゴミ等が侵入しにくくなる。
また、本実施形態によれば、前側ケース３に保持されたカバー３１との隙間を最小限にすることができ、薄型化を図ることができる。
ヒンジ部材２１が時計本体ケース２の外形の内側に収容されるため、時計本体ケース２から突き出した部分がなく、外観デザイン性を向上させることができるとともに、コンパクト化を図ることが可能となる。
【００２０】
【発明の効果】
本発明によれば、時計本体のケースに対して開閉する蓋体を備えた時計において、蓋体を回動支持する接続部を時計本体の外形内に収容でき、時計の外観デザイン性を向上させるとともに、時計の薄型化、コンパクト化が可能となる。
【図面の簡単な説明】
【図１】本発明に係る時計の一実施形態を示す平面図であって、蓋体を時計本体に対して閉じた状態を示す図である。
【図２】図１のＡ−Ａ線方向の断面図である。
【図３】蓋体の構造を示す図であって、（ａ）は蓋体を裏面側から見た平面図であり、（ｂ）は図３のＢ−Ｂ線方向の断面図である。
【図４】ヒンジ部材の構造を示す図であって、（ａ）は平面図であり、（ｂ）は側面図である。
【図５】時計本体のケースを構成する前側ケースの構造を示す平面図である。
【図６】時計本体のケースを構成する後側ケースの構造を示す平面図である。
【図７】本発明に係る時計の蓋体を閉じる動作を説明するための断面図である。
【図８】図７に続く動作状態を示す断面図である。
【図９】図８に続く動作状態を示す断面図である。
【図１０】本発明に係る時計の蓋体がスタンドとして機能する状態を示す断面図である。
【図１１】蓋体を備えた時計の一例を示す図である。
【符号の説明】
１…時計
２…時計本体ケース
３…前側ケース
４…後側ケース
１１…蓋体
１２…係合溝部
２１…ヒンジ部材
２４…係合突部
３１…カバー
３２…時分針
３３…時計ムーブメント
３４…文字盤
【図１】
0003628909.tif 000002
【図２】
0003628909.tif 000003
【図３】
0003628909.tif 000004
【図４】
0003628909.tif 000005
【図５】
0003628909.tif 000006
【図６】
0003628909.tif 000007
【図７】
0003628909.tif 000008
【図８】
0003628909.tif 000009
【図９】
0003628909.tif 000010
【図１０】
0003628909.tif 000011
【図１１】
0003628909.tif 000012